(57)【特許請求の範囲】
【請求項１】
下りリンク制御チャネルとしての複数のｅＰＤＣＣＨ（ｅｎｈａｎｃｅｄ  Ｐｈｙｓｉｃａｌ Ｄｏｗｎｌｉｎｋ Ｃｏｎｔｒｏｌ Ｃｈａｎｎｅｌ）領域を周波数が連続するように配置するか否かを、サブフレーム毎に選択する選択部と、
周波数が連続するように配置することを前記選択部が選択した場合、予め定められたデータチャネル領域のうち周波数が連続する領域に、前記複数のｅＰＤＣＣＨ領域を配置し、周波数が連続しないように配置することを前記選択部が選択した場合、前記データチャネル領域のうち周波数が連続しない領域に、前記複数のｅＰＤＣＣＨ領域を配置する配置部と、
を備え、
前記選択部は、周波数が連続するように配置されたサブフレームを受信することが望ましい端末の数と、周波数が連続しないように配置されたサブフレームを受信することが望ましい端末の数との割合を考慮し、基地局の配下にいる端末に対して前記複数のｅＰＤＣＣＨ領域の配置方法を動的に使い分けることを特徴とする無線リソース割当装置。
【請求項２】
前記配置部は、周波数が連続するように配置することを前記選択部が選択した場合、所定の周波数帯域の端の一方からＰＲＢ（Ｐｈｙｓｉｃａｌ Ｒｅｓｏｕｒｃｅ Ｂｌｏｃｋ）単位で前記複数のｅＰＤＣＣＨ領域を配置することを特徴とする請求項１に記載の無線リソース割当装置。
【請求項３】
前記配置部は、周波数が連続しないように配置することを前記選択部が選択した場合、所定の周波数帯域の両端からＰＲＢグループ単位で前記複数のｅＰＤＣＣＨ領域を配置することを特徴とする請求項１に記載の無線リソース割当装置。
【請求項４】
前記選択部は、前記複数のｅＰＤＣＣＨ領域を周波数が連続するように配置するか否かを、予め定められた情報に基づいてサブフレーム毎に選択することを特徴とする請求項１から請求項３のいずれか一項に記載の無線リソース割当装置。
【請求項５】
前記選択部は、前記複数のｅＰＤＣＣＨ領域の配置パターンを、予め定められた周期で変更することを特徴とする請求項１から請求項４のいずれか一項に記載の無線リソース割当装置。
【請求項６】
前記選択部は、前記複数のｅＰＤＣＣＨ領域がサブフレームに配置されるか否かを、周期的に変更することを特徴とする請求項１から請求項４のいずれか一項に記載の無線リソース割当装置。
【請求項７】
前記選択部は、前記複数のｅＰＤＣＣＨ領域を周波数が連続するように配置するか否かを、サブフレームの識別番号の偶奇に対応付けて選択することを特徴とする請求項１から請求項５のいずれか一項に記載の無線リソース割当装置。
【請求項８】
下りリンク制御チャネルとしての複数のｅＰＤＣＣＨ（ｅｎｈａｎｃｅｄ  Ｐｈｙｓｉｃａｌ Ｄｏｗｎｌｉｎｋ Ｃｏｎｔｒｏｌ Ｃｈａｎｎｅｌ）領域を周波数が連続するように配置するか否かを、サブフレーム毎に選択する手順と、
周波数が連続するように配置することを選択した場合、予め定められたデータチャネル領域のうち周波数が連続する領域に、前記複数のｅＰＤＣＣＨ領域を配置し、周波数が連続しないように配置することを選択した場合、前記データチャネル領域のうち周波数が連続しない領域に、前記複数のｅＰＤＣＣＨ領域を配置する手順と、
前記選択する手順において、周波数が連続するように配置されたサブフレームを受信することが望ましい端末の数と、周波数が連続しないように配置されたサブフレームを受信することが望ましい端末の数との割合を考慮し、基地局の配下にいる端末に対して前記複数のｅＰＤＣＣＨ領域の配置方法を動的に使い分ける手順と、
を実行させるための無線リソース割当プログラム。
【発明の詳細な説明】
【技術分野】
【０００１】
本発明は、無線リソース割当装置、及び無線リソース割当プログラムに関する。
【背景技術】
【０００２】
通信規格の一つであるＬＴＥ（Ｌｏｎｇ Ｔｅｒｍ Ｅｖｏｌｕｔｉｏｎ）の下りリンクでは、無線リソースの割り当てを端末（Ｕｓｅｒ Ｅｑｕｉｐｍｅｎｔ：ＵＥ）に通知するために、下りリンク制御チャネル（Ｐｈｙｓｉｃａｌ Ｄｏｗｎｌｉｎｋ Ｃｏｎｔｒｏｌ Ｃｈａｎｎｅｌ：ＰＤＣＣＨ）が用いられている。この下りリンク制御チャネルと、無線リソースが実際に割り当てられるデータチャネルである下りリンク共有チャネル (Ｐｈｙｓｉｃａｌ Ｄｏｗｎｌｉｎｋ Ｓｈａｒｅｄ Ｃｈａｎｎｅｌ：ＰＤＳＣＨ)とは、一対一で対応している。
【０００３】
また、スループット（通信容量）の向上を図るため、ＬＴＥ−Ａｄｖａｎｃｅｄ(ＬＴＥ Ｒｅｌ‐１０以降)では、下りリンクにおけるＭＩＭＯ(Ｍｕｌｔｉｐｌｅ‐Ｉｎｐｕｔ Ｍｕｌｔｉｐｌｅ‐Ｏｕｔｐｕｔ)、キャリア・アグリゲーション（Ｃａｒｒｉｅｒ Ａｇｇｒｅｇａｔｉｏｎ：ＣＡ）、多地点協調 (Ｃｏｏｒｄｉｎａｔｅｄ Ｍｕｌｔｉｐｏｉｎｔ Ｔｒａｎｓｍｉｓｓｉｏｎ：ＣｏＭＰ)などの機能拡張が検討されている（非特許文献１及び２参照）。
【先行技術文献】
【非特許文献】
【０００４】
【非特許文献１】3GPP, TS 36.211 V9.1.0, “Evolved Universal Terrestrial Radio Access (E-UTRA); Physical Channels and Modulation (Release 9),” March 2010.
【非特許文献２】3GPP, TS 36.213 V9.1.0, “Evolved Universal Terrestrial Radio Access (E-UTRA); Physical layer procedures (Release 9),” March 2010.
【発明の概要】
【発明が解決しようとする課題】
【０００５】
しかしながら、ＭＩＭＯ、キャリア・アグリゲーション（ＣＡ）、多地点協調（ＣｏＭＰ)などの機能拡張がされた場合、同一サブフレームのデータチャネル領域に割り当てられる端末の数が急増するため、ＬＴＥ Ｒｅｌ．１０までの下りリンク制御チャネル（ＰＤＣＣＨ）の容量が不足するという問題がある。
【０００６】
この問題を解決するために、データチャネル領域の一部に配置される下りリンク制御チャネルであって、ＬＴＥ Ｒｅｌ．１０までのＰＤＣＣＨと比較して高度化した下りリンク制御チャネルが、提案されている。しかしながら、この高度化した下りリンク制御チャネルにより、下りリンク制御チャネルの容量を単に増やした場合、端末における計算量が増加してしまうという問題がある。
【０００７】
本発明は、前記の諸点に鑑みてなされたものであり、下りリンク制御チャネルの容量が不足しないようにすることができ、且つ、端末における計算量の増加を抑えることができる無線リソース割当装置、及び無線リソース割当プログラムを提供することを目的とする。
【課題を解決するための手段】
【０００８】
本発明は、上記の課題を解決するためになされたものであり、下りリンク制御チャネルとしての複数のｅＰＤＣＣＨ（ｅｎｈａｎｃｅｄ  Ｐｈｙｓｉｃａｌ Ｄｏｗｎｌｉｎｋ Ｃｏｎｔｒｏｌ Ｃｈａｎｎｅｌ）領域を周波数が連続するように配置するか否かを、サブフレーム毎に選択する選択部と、周波数が連続するように配置することを前記選択部が選択した場合、予め定められたデータチャネル領域のうち周波数が連続する領域に、前記複数のｅＰＤＣＣＨ領域を配置し、周波数が連続しないように配置することを前記選択部が選択した場合、前記データチャネル領域のうち周波数が連続しない領域に、前記複数のｅＰＤＣＣＨ領域を配置する配置部と、を備えることを特徴とする無線リソース割当装置である。
【０００９】
また、本発明は、前記配置部が、周波数が連続するように配置することを前記選択部が選択した場合、所定の周波数帯域の端の一方からＰＲＢ（Ｐｈｙｓｉｃａｌ Ｒｅｓｏｕｒｃｅ Ｂｌｏｃｋ）単位で前記複数のｅＰＤＣＣＨ領域を配置することを特徴とする無線リソース割当装置である。
【００１０】
また、本発明は、前記配置部が、周波数が連続しないように配置することを前記選択部が選択した場合、所定の周波数帯域の両端からＰＲＢグループ単位で前記複数のｅＰＤＣＣＨ領域を配置することを特徴とする無線リソース割当装置である。
【００１１】
また、本発明は、前記選択部が、前記複数のｅＰＤＣＣＨ領域を周波数が連続するように配置するか否かを、予め定められた情報に基づいてサブフレーム毎に選択することを特徴とする無線リソース割当装置である。
【００１２】
また、本発明は、前記選択部が、前記複数のｅＰＤＣＣＨ領域の配置パターンを、予め定められた周期で変更することを特徴とする無線リソース割当装置である。
【００１３】
また、本発明は、前記選択部が、前記複数のｅＰＤＣＣＨ領域がサブフレームに配置されるか否かを、周期的に変更することを特徴とする無線リソース割当装置である。
【００１４】
また、本発明は、前記選択部が、前記複数のｅＰＤＣＣＨ領域を周波数が連続するように配置するか否かを、サブフレームの識別番号の偶奇に対応付けて選択することを特徴とする無線リソース割当装置である。
【００１５】
また、本発明は、コンピュータに、下りリンク制御チャネルとしての複数のｅＰＤＣＣＨ（ｅｎｈａｎｃｅｄ  Ｐｈｙｓｉｃａｌ Ｄｏｗｎｌｉｎｋ Ｃｏｎｔｒｏｌ Ｃｈａｎｎｅｌ）領域を周波数が連続するように配置するか否かを、サブフレーム毎に選択する手順と、周波数が連続するように配置することを選択した場合、予め定められたデータチャネル領域のうち周波数が連続する領域に、前記複数のｅＰＤＣＣＨ領域を配置し、周波数が連続しないように配置することを選択した場合、前記データチャネル領域のうち周波数が連続しない領域に、前記複数のｅＰＤＣＣＨ領域を配置する手順と、実行させるための無線リソース割当プログラムである。
【発明の効果】
【００１６】
本発明によれば、選択部は、下りリンク制御チャネルとしての複数のｅＰＤＣＣＨ領域を周波数が連続するように配置するか否かを、サブフレーム毎に選択する。これにより、無線リソース割当装置は、下りリンク制御チャネルの容量が不足しないようにすることができ、且つ、端末における計算量の増加を抑えることができる。
【図面の簡単な説明】
【００１７】
【図１】本発明の第１実施形態における、無線リソース割当装置の構成例を示すブロック図である。
【図２】本発明の第１実施形態における、サブフレーム毎のｅＰＤＣＣＨ領域の配置の第１例を示す図である。
【図３】本発明の第１実施形態における、ｅＰＤＣＣＨ領域の配置例を示す図である。
【図４】本発明の第１実施形態における、集中配置されたｅＰＤＣＣＨ領域の例を示す図である。
【図５】本発明の第１実施形態における、離散配置されたｅＰＤＣＣＨ領域の例を示す図である。
【図６】本発明の第２実施形態における、サブフレーム毎のｅＰＤＣＣＨ領域の配置の第２例を示す図である。
【発明を実施するための形態】
【００１８】
［第１実施形態］
本発明の第１実施形態について図面を参照して詳細に説明する。図１には、無線リソース割当装置の構成例が、ブロック図により示されている。無線リソース割当装置１００は、ＬＴＥ Ｒｅｌ．１０までのＰＤＣＣＨと比較して高度化した下りリンク制御チャネルを、予め定められたデータチャネル領域の一部に配置する。
【００１９】
以下、データチャネル領域の一部に配置される下りリンク制御チャネルであって、ＬＴＥ Ｒｅｌ．１０までのＰＤＣＣＨと比較して高度化した下りリンク制御チャネルを、「ｅＰＤＣＣＨ（ｅｎｈａｎｃｅｄ  ＰＤＣＣＨ）」という。ｅＰＤＣＣＨの詳細については、図２〜図６を用いて後述する。
【００２０】
また、以下、予め定められたデータチャネル領域において、各種の参照信号（Ｒｅｆｅｒｅｎｃｅ Ｓｉｇｎａｌ）と、ｅＰＤＣＣＨパケットとを含む領域を、「ｅＰＤＣＣＨ領域」という。ここで、ｅＰＤＣＣＨパケットには、無線リソースの割り当てを端末（不図示）に通知するための制御情報が含まれる。
【００２１】
無線リソース割当装置１００は、生成部１１０と、選択部１２０と、配置部１３０とを備える。生成部１１０は、制御情報を生成する。ここで、制御情報とは、例えば、無線リソースの割り当てを示す情報である。制御情報は、配置部１３０によりｅＰＤＣＣＨ領域に配置される。
【００２２】
選択部１２０は、複数のｅＰＤＣＣＨ領域を周波数が連続するように配置（以下、「集中配置」という）するか、又は、複数のｅＰＤＣＣＨ領域を周波数が連続しないように配置（以下、「離散配置」という）するかを、サブフレーム毎に選択する。
【００２３】
図２には、サブフレーム毎のｅＰＤＣＣＨ領域の配置の第１例が示されている。選択部１２０は、ｅＰＤＣＣＨの使用の有無、すなわち、複数のｅＰＤＣＣＨ領域がサブフレームに配置されるか否かを、周期的に選択する。ここで、周期は、例えば、無線フレーム（Ｒａｄｉｏ Ｆｒａｍｅ）（＝１０サブフレーム）周期である。
【００２４】
選択部１２０は、ｅＰＤＣＣＨを使用することを選択した場合、サブフレームの識別番号（図２では、ＩＤ＃０〜＃７）と、集中配置及び離散配置とを、予め定められた情報（以下、「規定情報」という）に基づいて対応付ける。例えば、選択部１２０は、識別番号が偶数であるサブフレームに、集中配置を対応付ける。一方、選択部１２０は、識別番号が奇数であるサブフレームに、離散配置を対応付ける。
【００２５】
また、第１実施形態では、集中配置されたｅＰＤＣＣＨ領域を含むサブフレームを受信する端末（以下、「集中配置が適用される端末」という）は、集中配置されたｅＰＤＣＣＨ領域を含むサブフレームを、規定情報に基づいて受信する。また、離散配置されたｅＰＤＣＣＨ領域を含むサブフレームを受信する端末（以下、「離散配置が適用される端末」という）は、離散配置されたｅＰＤＣＣＨ領域を含むサブフレームを、規定情報に基づいて受信する。
【００２６】
以下、１個のＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）シンボルと１個のサブキャリアとにより区分される領域を、「リソースエレメント（Ｒｅｓｏｕｒｃｅ Ｅｌｅｍｅｎｔ：ＲＥ)」という。また、複数（例えば、３６個）のリソースエレメントから構成されるＣＣＥ（Ｃｏｎｔｒｏｌ Ｃｈａｎｎｅｌ Ｅｌｅｍｅｎｔ）を、「ｅＣＣＥ（ｅｎｈａｎｃｅｄ  ＣＣＥ）」と定義する。
【００２７】
配置部１３０は、サブフレームの前半のＯＦＤＭシンボルＩＤ０〜２（＝１〜３個）に、ＬＴＥ Ｒｅｌ．１０までのＰＤＣＣＨを配置してもよい。また、ｅＰＤＣＣＨを使用することを選択部１２０が選択した場合、配置部１３０は、ＰＤＣＣＨに続くデータチャネル領域のｅＰＤＣＣＨ領域に、生成部１１０により生成された制御情報を含むｅＰＤＣＣＨパケットを配置する。ここで、配置部１３０は、ｅＣＣＥ単位で、ｅＰＤＣＣＨパケットをｅＰＤＣＣＨ領域に配置する。これにより、端末（不図示）は、受信したｅＰＤＣＣＨ領域をサーチして、ブラインド・デコーディングすることにより、無線リソースの割り当てを示す情報を取得することができる。
【００２８】
図３には、ｅＰＤＣＣＨ領域の配置例が示されている。縦軸は、周波数軸である。また、横軸は、時間軸である。配置部１３０は、周波数軸方向については、ＰＲＢ（Ｐｈｙｓｉｃａｌ Ｒｅｓｏｕｒｃｅ Ｂｌｏｃｋ）単位又はＰＲＢグループ単位で、ｅＰＤＣＣＨ領域を配置する。ここで、ＰＲＢは、７個のＯＦＤＭシンボル（１個のスロット）と、１２個のサブキャリアとにより区分される領域である。また、ＰＲＢグループは、連続するスロットにおける複数のＰＲＢにより区分される領域である。ＰＲＢグループの最小単位は、連続する２個のスロットにおけるＰＲＢの一組（ＰＲＢペア）である。ＰＲＢペアには、例えば、３個以下のｅＣＣＥが配置される。
【００２９】
図３では、ＰＲＢ２００のうちＰＤＣＣＨ以外の領域と、ＰＲＢ２０１とに、ｅＣＣＥ単位でｅＰＤＣＣＨ領域３００が配置されている。また、ＰＲＢ２１０のうちＰＤＣＣＨ以外の領域と、ＰＲＢ２１１とに、ｅＣＣＥ単位でｅＰＤＣＣＨ領域３１０が配置されている。
【００３０】
また、集中配置されたｅＰＤＣＣＨ領域と、離散配置されたｅＰＤＣＣＨ領域とでは、制御情報の最適な配置（マッピング）が異なる。そこで、配置部１３０は、集中配置されたｅＰＤＣＣＨ領域に適用する論理ＩＤ（Ｌｏｇｉｃａｌ ＩＤ）及び物理ＩＤ（Ｐｈｙｓｉｃａｌ ＩＤ）の対応付けと、離散配置されたｅＰＤＣＣＨ領域に適用する論理ＩＤ及び物理ＩＤの対応付けと、をそれぞれ定める。
【００３１】
配置部１３０は、識別番号が偶数であるサブフレームのｅＰＤＣＣＨ領域には、集中配置されたｅＰＤＣＣＨ領域に配置されたｅＰＤＣＣＨパケットを受信する端末のための制御情報を、集中配置されたｅＰＤＣＣＨに適用する論理ＩＤ及び物理ＩＤの対応付けに基づいて配置する。一方、配置部１３０は、識別番号が奇数であるサブフレームのｅＰＤＣＣＨには、離散配置されたｅＰＤＣＣＨ領域に配置されたｅＰＤＣＣＨパケットを受信する端末のための制御情報を、離散配置されたｅＰＤＣＣＨ領域に適用する論理ＩＤ及び物理ＩＤの対応付けに基づいて配置する。
【００３２】
ここで、配置部１３０は、共通サーチスペース（Ｃｏｍｍｏｎ Ｓｅａｒｃｈ Ｓｐａｃｅ）及び端末固有サーチスペース（ＵＥ−Ｓｐｅｃｉｆｉｃ Ｓｅａｒｃｈ Ｓｐａｃｅ）に、アグリゲーション・レベル（Ａｇｇｒｅｇａｔｉｏｎ Ｌｅｖｅｌ）に応じて、ｅＰＤＣＣＨパケット（ｅＣＣＥ）を配置する。また、配置部１３０は、ｅＰＤＣＣＨを受信する端末の数の増減に応じて、ｅＰＤＣＣＨパケットの個数を増減してもよい。
【００３３】
図４には、集中配置されたｅＰＤＣＣＨ領域の例が示されている。縦軸は、周波数軸である。また、横軸は、時間軸である。配置部１３０は、集中配置することを選択部１２０が選択した場合、予め定められたデータチャネル領域のうち周波数が連続する領域に、複数のｅＰＤＣＣＨ領域を配置する。ここで、配置部１３０は、システムの予め定められた周波数帯域の端の一方からＰＲＢ単位で、複数のｅＰＤＣＣＨ領域を配置する。これにより、端末（不図示）は、集中配置されたｅＰＤＣＣＨ領域により、例えば、ビームフォーミングによるゲインを獲得することができる。
【００３４】
図５には、離散配置されたｅＰＤＣＣＨ領域の例が示されている。縦軸は、周波数軸である。また、横軸は、時間軸である。配置部１３０は、離散配置することを選択部１２０が選択した場合、予め定められたデータチャネル領域のうち周波数が連続しない領域に、複数のｅＰＤＣＣＨ領域を配置する。ここで、配置部１３０は、システムの予め定められた周波数帯域の両端からＰＲＢグループ単位で、複数のｅＰＤＣＣＨ領域を配置する。これにより、端末（不図示）は、離散配置されたｅＰＤＣＣＨ領域により、例えば、周波数ダイバーシチによるゲインを獲得することができる。
【００３５】
したがって、端末（不図示）は、サブフレームの識別番号に基づいて、集中配置又は離散配置のいずれか一方を想定して、ブラインド・デコーディングすればよい。
【００３６】
以上のように、無線リソース割当装置１００は、下りリンク制御チャネルとしての複数のｅＰＤＣＣＨ領域を周波数が連続するように配置するか否かを、サブフレーム毎に選択する選択部１２０と、周波数が連続するように配置することを選択部１２０が選択した場合、予め定められたデータチャネル領域のうち周波数が連続する領域に、前記複数のｅＰＤＣＣＨ領域を配置し、周波数が連続しないように配置することを選択部１２０が選択した場合、前記データチャネル領域のうち周波数が連続しない領域に、前記複数のｅＰＤＣＣＨ領域を配置する配置部１３０と、を備える。
この構成により、選択部１２０は、複数のｅＰＤＣＣＨ領域を周波数が連続するように配置するか否かを、サブフレーム毎に選択する。端末（不図示）は、集中配置されたｅＰＤＣＣＨ領域（例えば、図３を参照）と、離散配置されたｅＰＤＣＣＨ領域（例えば、図４を参照）とのうち、必要な一方のサブフレームを選択して、ブラインド・デコーディングすればよい。
これにより、無線リソース割当装置１００は、端末における計算量（ブラインド・デコーディング数）の増加を抑えることができる。また、無線リソース割当装置１００は、下りリンク制御チャネル（ＰＤＣＣＨ、及びｅＰＤＣＣＨ）の容量が不足しないようにすることができる。また、無線リソース割当装置１００は、スループットを向上させることができる。
【００３７】
また、配置部１３０は、周波数が連続するように配置することを選択部１２０が選択した場合、所定の周波数帯域（システムの予め定められた周波数帯域）の端の一方からＰＲＢ単位で前記複数のｅＰＤＣＣＨ領域を配置する（例えば、図４を参照）。
これにより、無線リソース割当装置１００は、データチャネル領域でｅＰＤＣＣＨ領域が配置されていない領域に、効果的にデータ（ＰＤＳＣＨ）を割り当てることができる。
【００３８】
また、配置部１３０は、周波数が連続しないように配置することを選択部１２０が選択した場合、所定の周波数帯域（システムの予め定められた周波数帯域）の両端からＰＲＢグループ単位で前記複数のｅＰＤＣＣＨ領域を配置する（例えば、図５を参照）。
これにより、無線リソース割当装置１００は、データチャネル領域でｅＰＤＣＣＨ領域が配置されていない領域に、効果的にデータ（ＰＤＳＣＨ）を割り当てることができる。
【００３９】
また、選択部１２０は、前記複数のｅＰＤＣＣＨ領域を周波数が連続するように配置するか否かを、予め定められた情報（規定情報）（例えば、任意に予め規定された情報、識別番号の偶奇）に基づいてサブフレーム毎に選択する。
端末（不図示）は、集中配置されたｅＰＤＣＣＨ領域（例えば、図３を参照）と、離散配置されたｅＰＤＣＣＨ領域（例えば、図４を参照）とのうち、必要な一方のサブフレームを、予め記憶する規定情報に基づいて選択して、ブラインド・デコーディングすればよい。これにより、無線リソース割当装置１００は、端末における計算量の増加を抑えることができる。
【００４０】
また、選択部１２０は、前記複数のｅＰＤＣＣＨ領域を周波数が連続するように配置するか否かを、サブフレームの識別番号の偶奇に対応付けて選択する（例えば、図２を参照）。
これにより、無線リソース割当装置１００は、前記ｅＰＤＣＣＨ領域に配置されたｅＰＤＣＣＨパケットを受信する端末の数に応じて、それらの端末における計算量の増加を抑えることができる。
【００４１】
また、選択部１２０は、前記複数のｅＰＤＣＣＨ領域がサブフレームに配置されるか否か（ｅＰＤＣＣＨの使用の有無）を、周期的に変更する。
これにより、ｅＰＤＣＣＨの利用自体を周期的にすることで、無線リソース割当装置１００は、端末の消費電力を低減させることができる。
【００４２】
［第２実施形態］
第２実施形態では、ｅＰＤＣＣＨ領域の配置パターンが端末に通知される点が、第１実施形態と相違する。以下では、第１実施形態との相違点についてのみ説明する。
【００４３】
図６には、サブフレーム毎のｅＰＤＣＣＨ領域の配置の第２例が示されている。選択部１２０は、各サブフレームにおいて集中配置と離散配置のいずれを適用するかを、すなわち、複数のｅＰＤＣＣＨ領域の配置パターンを、予め定められた周期で変更する。この予め定められた周期は、一定のサブフレーム周期、例えば、無線フレーム周期である。
【００４４】
ここで、選択部１２０は、基地局（ｅｖｏｌｕｔｉｏｎａｌ Ｎｏｄｅ Ｂ：ｅＮＢ）の配下にいる端末に対して、集中配置されたサブフレームを受信することが望ましい端末の数と、離散配置のされたサブフレームを受信することが望ましい端末の数との割合に応じて、配置方法（配置パターン）を動的に使い分けてもよい。
【００４５】
なお、集中配置又は離散配置のいずれが望ましいかは、各端末の無線チャネル状態及び移動速度等に応じて異なる。
【００４６】
選択部１２０は、ｅＰＤＣＣＨ領域に配置されたｅＰＤＣＣＨパケットを受信する端末に、集中配置及び離散配置のうち選択した配置を示す情報を、サブフレームに対応付けて通知する。
【００４７】
ここで、選択部１２０は、配置パターンを示す情報を各端末に通知する。配置パターンを示す情報は、１０ビットのビットマップ（ｂｉｔｍａｐ）により表現されてもよい。例えば、集中配置されたｅＰＤＣＣＨ領域を含むサブフレームは、ビットマップにおいて値１と表現され、離散配置されたｅＰＤＣＣＨ領域を含むサブフレームは、ビットマップにおいて値０と表現されるとする。この場合、選択部１２０は、例えば、集中配置が適用される端末の数と、離散配置が適用される端末の数との割合が４：６であれば、値１及び値０のそれぞれの個数も４：６となるよう割り当てられたビットマップ「０１０１０１０１００」を、各端末に送信する。なお、ビットマップは、例えば、上位層のシグナリングを用いて送信される。
【００４８】
また、選択部１２０は、集中配置が適用される端末にのみ、集中配置されたｅＰＤＣＣＨ領域を含むサブフレームの識別番号を通知してもよい。例えば、図６では、選択部１２０は、集中配置されたｅＰＤＣＣＨ領域を含むサブフレームの識別番号ＩＤ＃０，＃２，＃４，＃６，＃８，＃９を、集中配置が適用される端末にのみ通知してもよい。また、選択部１２０は、離散配置が適用される端末にのみ、離散配置されたｅＰＤＣＣＨ領域を含むサブフレームの識別番号を通知してもよい。例えば、図６では、選択部１２０は、離散配置されたｅＰＤＣＣＨ領域を含むサブフレームの識別番号ＩＤ＃１，＃３，＃５，＃７を、離散配置が適用される端末にのみ通知してもよい。
【００４９】
以上のように、選択部１２０は、前記複数のｅＰＤＣＣＨ領域の配置パターンを、予め定められた周期（例えば、無線フレーム（Ｒａｄｉｏ Ｆｒａｍｅ）周期）で変更する。ここで、選択部１２０は、集中配置であるか否か（離散配置であるか否か）を各端末に通知し、ｅＰＤＣＣＨ領域の配置パターン、すなわち、集中配置又は離散配置を、一定周期で変更してもよい。
これにより、無線リソース割当装置１００は、ｅＰＤＣＣＨ領域の配置パターンを周期的に変更することで、集中配置の適用が望ましい端末の数と離散配置の適用が望ましい端末の数との割合に応じた、適応的な制御が可能となる。また、無線リソース割当装置１００は、前記ｅＰＤＣＣＨ領域に配置されたｅＰＤＣＣＨパケットを受信する端末の数に応じて、それらの端末における計算量の増加を抑えることができる。
【００５０】
以上、この発明の実施形態について図面を参照して詳述してきたが、具体的な構成はこの実施形態に限られるものではなく、この発明の要旨を逸脱しない範囲の設計等も含まれる。
【００５１】
例えば、無線リソース割当装置１００は、ＭＩＭＯ、キャリア・アグリゲーション、多地点協調（例えば、ＣｏＭＰシナリオ４以降）に適用されてもよい。
【００５２】
また、例えば、上記の説明における偶奇の対応付けは逆でもよい。
【００５３】
なお、上記に説明した無線リソース割当装置を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００５４】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００５６】
１００…無線リソース割当装置、１１０…生成部、１２０…選択部、１３０…配置部、２００…ＰＲＢ、２０１…ＰＲＢ、２１０…ＰＲＢ、２１１…ＰＲＢ、３００…ｅＰＤＣＣＨ領域、３１０…ｅＰＤＣＣＨ領域
【図１】
0005866214.tif 000002
【図２】
0005866214.tif 000003
【図３】
0005866214.tif 000004
【図４】
0005866214.tif 000005
【図５】
0005866214.tif 000006
【図６】
0005866214.tif 000007